(57)【要約】【課題】  ビニール類、ガラス類、金属類の生ゴミからの分別は生ゴミの粘りや複雑に絡み合う形態のため、磁石、網、風力、水流を使用しても、また比重だけでも簡単には分別できない課題がある。【解決手段】  図１で、生ゴミを生ゴミ液状化比重別分別装置１に投入し、水を加え、ビニール類の浮遊物を除去装置９で除去し、破砕・粉砕装置１１で液状化し、攪拌装置２で攪拌し、比重で分離し、分離装置１２でガラス類、金属類を分別することで課題は解決できる。【選択図】  図１
2010137175.tif 000002
【特許請求の範囲】
【請求項１】
生ゴミを円筒形の生ゴミ液状化比重別分別装置に投入し、水を加えて生ゴミと生ゴミに含まれるビニール類の浮遊物やガラス類、金属類が分離しやすい状態をつくる第１工程、
攪拌装置にて生ゴミの分離を促進する第２工程、
除去装置にて浮遊するビニール類を除去する第３工程、
残った生ゴミを破砕・粉砕装置で液状化する第４工程、
生ゴミを液状化した後、攪拌装置にて強、中、弱と攪拌の強さを操作することで、比重の重い非バイオマス化及び非堆肥化物はより下部に、比重の軽いバイオマス化及び堆肥化用生ゴミはより上部に分離された状態をつくる第５工程、
液状化され分離されたバイオマス化及び堆肥化用生ゴミと非バイオマス化及び非堆肥化物が再度混ざらないように分離し分別する第６工程、
とからなる、バイオマス化及び堆肥化に用いる生ゴミ液状化比重別分別方法で、生ゴミからビニール類、ガラス類、金属類の非バイオマス化及び非堆肥化物とバイオマス化及び堆肥化用生ゴミとに分別することを特徴とする生ゴミ液状化比重別分別方法。
【請求項２】
生ゴミを本体装置の円筒形の生ゴミ液状化比重別分別装置に投入し、水を加えて生ゴミと生ゴミに含まれるビニール類の浮遊物や金属類、ガラス類が分離しやすい状態をつくる第１工程の生ゴミ液状化比重別分別装置の本体装置、
攪拌にて分離を促進する生ゴミ液状化比重別分別装置の本体装置に既設された第２工程の攪拌装置、
浮遊するビニール類を除去する生ゴミ液状化比重別分別装置の本体装置に付帯する第３工程の除去装置、
浮遊するビニール類を除去した後、残った生ゴミを破砕・粉砕して液状化する生ゴミ液状化比重別分別装置の本体装置に付帯する第４工程の破砕・粉砕装置、
生ゴミを液状化した後、強、中、弱と攪拌の強さを操作することで、比重の重い非バイオマス化及び非堆肥化物はより下部に、比重の軽いバイオマス化及び堆肥化用生ゴミはより上部に分離された状態をつくる生ゴミ液状化比重別分別装置の本体装置に既設された第５工程の攪拌装置、
液状化されたバイオマス化及び堆肥化用生ゴミと非バイオマス化及び非堆肥化物が再度、混ざらないように分離する生ゴミ液状化比重別分別装置の本体装置に付帯する第６工程の分離装置、
とからなる生ゴミ液状化比重別分別装置で、生ゴミからビニール類、ガラス類、金属類の非バイオマス化及び非堆肥化物とバイオマス化及び堆肥化用生ゴミとに分別することを特徴とする生ゴミ液状化比重別分別装置。
【請求項３】
生ゴミに水を加えて水分状態を８５％から９９％にして分離しやすい状態を作る生ゴミ液状化比重別分別装置の本体装置を設けた請求項２記載の生ゴミ液状化比重別分別装置。
【請求項４】
生ゴミと水からビニール類の浮遊物を除去しやすくするために、水中に空気を送って生ゴミと水を上下に攪拌及び生ゴミを液状化して生ゴミからガラス類、金属類を分離した後、ガラス類、金属類をさらに最下部に分離するために、水中に空気を送る強さを強、中、弱と変えながら生ゴミと水を上下に攪拌する生ゴミ液状化比重別分別装置に既設した攪拌装置を設けた請求項２記載の生ゴミ液状化比重別分別装置。
【請求項５】
生ゴミと水を攪拌して沈静化させた後、ビニール類の浮遊する非バイオマス化及び非堆肥化物を除去する生ゴミ液状化比重別分別装置に付帯する除去装置を設けた請求項２記載の生ゴミ液状化比重別分別装置。
【請求項６】
ビニール類の浮遊する非バイオマス化及び非堆肥化物を除去した後、残った生ゴミに付着又は入り込んでいるガラス類、金属類を完全に分離するために、生ゴミを液状化する生ゴミ液状化比重別分別装置に付帯する破砕・粉砕装置を設けた請求項２記載の生ゴミ液状化比重別分別装置。
【請求項７】
生ゴミから生ゴミ液状化比重別分別装置の最下部に分離されたガラス類、金属類の非バイオマス化及び非堆肥化物が再度バイオマス化及び堆肥化用生ゴミの中に入らないように分離する生ゴミ液状化比重別分別装置に付帯する分離装置を設けた請求項２記載の生ゴミ液状化比重別分別装置。
【請求項８】
生ゴミ液状化比重別分別装置の最下部に分離されたガラス類、金属類の非バイオマス化及び非堆肥化物を排出し分別するために、生ゴミ液状化比重別分別装置の底部にスクリューコンベヤーを既設した請求項２記載の生ゴミ液状化比重別分別装置。
【発明の詳細な説明】
【技術分野】
【０００１】
本願発明は生ゴミをバイオマス及び堆肥化用生ゴミとビニール類、ガラス類、金属類の非バイオマス化及び非堆肥化物とに分別する方法及び装置に関するものである。
【背景技術】
【０００２】
生ゴミの比重別分別方法（特許文献１参照）。
生ゴミと水を混合したものを流下させ比重にて分別する方法。
生ゴミと水の混合水を流下させ得る樋状の水路に大量の水を使って流下させて、軽比重のものはオーバーフローで分離し、中比重のものはそのまま出口まで流下させて分離し、重比重のものは沈んだ状態で流下し、沈んだ状態を受入れる受入口を底部に設けて出口で水切りして分離する、生ゴミを種類（比重）によって水深方向の上層、中層、下層に分離し得るように設計された比重別分別装置で分別する方法である。
【特許文献１】特開２００４−３０５８８７公報  袋に収納した生ごみの分別装置及び袋に収納した生ごみの分別方法（特許文献２参照）。生ごみと水とを攪拌し、あふれ出る水と共に破袋した袋を分離させる分別方法。  生ゴミを収納した袋と水とを槽内で攪拌破袋させ、水を供給して槽内よりあふれ出る水により破袋した袋を導いて生ゴミから袋を分離させ、袋と生ゴミを簡単に分別する分別方法である。
【特許文献２】特開２００５−９５７７１公報
【発明の開示】
【発明が解決しようとする課題】
【０００３】
背景技術に記載の発明、特許文献１は生ゴミ混合水を樋状の水路を使用し、大量の水を使用して流下させ水流と比重で分別する装置であるが、これは実務的に見ると、生ゴミの中のビニール類は生ゴミが付着しているため重く、水流の上部のみに浮かばず、樋状の水路の上層から下層に縦の形になって流下するので分別できないものが多い。次に有機生ゴミには浮かぶ生ゴミと沈む生ゴミとがあり、これでは分別できないこと。次に生ゴミに付着している、または生ゴミの中に入り込んでいるガラス類、金属類が分離できないこと。そして生ゴミを水で流して分別すると液化した生ゴミ及び液状化しつつあるどろどろ状態の生ゴミを排水してしまうので河川、海を汚してしまい環境問題を引き起こす欠点を持つ。
【０００４】
背景技術に記載の発明、特許文献２は生ゴミのうち、ビニール袋類を生ゴミと分別するために生ゴミと水を槽内で攪拌破袋させ、水を供給して水をあふれさせることにより軽いビニール袋を分別しようとするものであるが、水をあふれさせると、あふれた水の中にはビニール袋類も取れるが、同時に浮遊する野菜の塊、肉、魚の固まりも取れて、生ゴミの中の堆肥化すべき部分が捨てられることになる欠点を持つ。次に生ゴミに付着している、又は生ごみの中に入り込んでいるガラス類、金属類が分離できないこと。そして生ゴミを水で流して分別すると液化した生ゴミ及び液状化しつつあるどろどろ状態の生ゴミを排水してしまうので河川、海を汚してしまい環境問題を引き起こす欠点を持つ。
【０００５】
本発明は、上記のような従来の欠点を解消するバイオガス化及び堆肥化に用いる生ゴミ
液状化比重別分別方法及び装置を提供することを目的としている。
【課題を解決するための手段】
【０００６】
上記目的を達成するために、本発明は次の構成を有している。
第１工程において
生ゴミを円筒形の生ゴミ液状化比重別分別装置の本体装置に投入し、水を加えて生ゴミが分離しやすい状態をつくる。
即ち、先ず生ゴミを生ゴミ液状化比重別分別装置に投入する。
次に水を投入する。投入後の水分率は８５％から９９％まで可能である。
水を加えることで生ゴミ独特の粘りがなくなり生ごみは分離しやすくなる。
【０００７】
第２工程において
生ゴミ液状化比重別分別装置内に空気を送り、生ゴミと水を上下に回転攪拌させる機能を有している、生ゴミ液状化比重別分別装置に既設された攪拌装置で生ゴミ液状化比重別分別装置の中の生ゴミと水を強く攪拌する。
これで軽いものは浮かび、重いものは沈んだ状態がうまれ、さらに生ゴミの中に混ざっている小さなガラス類や金属類が生ゴミから分離しやすくなっている。
この攪拌装置は上下水流を起こすものであればどんな装置でもよい。
【０００８】
第３工程において
浮遊しているビニール類を除去する。
即ち、装置の先端部が畳んだ状態から十字に開いた状態にできて回転できる機能を有している、生ゴミ液状化比重別分別装置に附帯する外部挿入装置である除去装置の先端部の除去棒を畳んだ状態で生ゴミ液状化比重別分別装置の上部からビニール類が浮かんでいるすぐ真下の位置に挿入する。
【０００９】
次に、除去装置の先端部の除去棒を十字の形に開いた状態にしてビニール類を掬い上げる。
【００１０】
次に、除去装置を移動し、装置の先端部の除去棒を畳んだ状態にして貯留槽にビニール類を落とす。この工程はビニール類が無くなるまで数回行う。
貯留槽に溜まったビニール類は廃棄する。
この除去装置は浮遊しているビニール類を取り除くものであればどんな装置でも良い。
【００１１】
第４工程において
浮遊しているビニール類を取り除いた後、残った生ゴミを液状化する。
即ち、装置の先端部が高速回転し破砕する破砕刃を有し、破砕刃を畳んだ状態からT字に開いた状態にできる機能を有している、生ゴミ液状化比重別分別装置に附帯する外部挿入装置である破砕・粉砕装置の破砕刃を畳んだ状態で生ゴミ液状化比重別分別装置の上部から最下部に既設のスクリューコンベヤーの上部の位置に挿入する。
【００１２】
次に、破砕・粉砕装置の先端部の破砕刃をT字に開いた状態にし、高速回転させて生ゴミを破砕・粉砕し液状化する。
【００１３】
次に、液状化が終わると、破砕・粉砕装置の先端部の破砕刃を畳んだ状態にして引き上げる。
【００１４】
この破砕・粉砕装置は生ゴミを液状化、即ちジュース化できるものであればどんな装置でも良い。
【００１５】
第５工程において
水中に空気を送り生ゴミと水を上下に回転攪拌でき、送る空気の強さを変えて水流の強さを強、中、弱に変えられる機能を有している、生ゴミ液状化比重別分別装置に既設されている攪拌装置で生ゴミ液状化比重別分別装置の中の液状化された生ゴミと水を強く攪拌する。
【００１６】
これで軽いものは浮かび、重いものは沈んだ状態がうまれ、さらに生ゴミの中に混ざっている小さなガラス類や金属類が生ゴミから分離し下部に沈む。
この攪拌を強、中、弱と強さを変えて数度行い、徐々に比重の重い非バイオマス化及び非堆肥化物をより下部に沈ませ、比重の軽いバイオマス化及び堆肥化用生ゴミはより上部に位置させる。
一番重いものが最下部のスクリューコンベヤーの中に入るようにする。
【００１７】
第６工程において
液状化された生ゴミをバイオマス化及び堆肥化用生ゴミと非バイオマス化及び非堆肥化物に分離する。
【００１８】
即ち、装置の先端部が４枚羽で構成され、１枚が９０度の４分の１の扇形に閉じた状態から３６０度の全開した状態に変えられる機能を有していて、全開すると細かな網目状の円盤になっている、生ゴミ液状化比重別分別装置に附帯する外部挿入装置である分離装置を生ゴミ液状化比重別分別装置の上部から下部に向かって挿入する。
分離装置を挿入するときは分離装置の先端部を９０度の４分の１の扇形に閉じた状態にして軽く回転させながら最下部にあるスクリューコンベヤーの上部に接するぐらいの位置まで挿入する。
【００１９】
次にスクリューコンベヤーの上部に分離装置の先端部が隙間なく覆いかぶさるように分離装置の先端部を３６０度の円盤状に全開して、スクリューコンベヤーの中に入っている物の内、ガラス類や金属類が分離装置の先端部の円盤部の上部に移動しないようにする。
【００２０】
この分離装置は最下部に分離されたガラス類や金属類の比重の重い非バイオマス化及び非堆肥化物がその上部の液状化された生ゴミ即ち、バイオマス化及び堆肥化用生ゴミの中に再度入らないようにするものならどんな装置でも良い。
【００２１】
次に開閉口を開いて液状化されたバイオマス化及び堆肥化用生ゴミを貯留槽へ導入する。導入が終わると開閉口を閉じる。
スクリューコンベヤーの羽根の間の部分に分離されている比重の重いガラス類、金属類の非バイオマス化及び非堆肥化物を開閉口を開いてスクリューコンベヤーを稼動し排出し廃棄する。
【００２２】
上記工程を終えると開閉口を閉じて最初の工程に戻る。
【００２３】
これで貯留槽にはバイオマス化及び堆肥化用生ゴミが水分８５％から９９％の水溶物及びドロドロの液状化した物が混在した状態で溜まっている。
【００２４】
これらにはガラス類や金属類が入っていないので安心してバイオマス化及び堆肥化用生ゴミとして使用できる。プラスチック類などが浮遊している場合には貯留槽からバイオマス化及び堆肥化装置へ導入時に網を通して濾せば、バイオマス化及び堆肥化用生ゴミは液状化されているので網を通過し固形物のプラスチック類のみ除去することができる。
【００２５】
この貯留槽に溜まっているバイオマス化及び堆肥化用生ゴミは堆肥化においては独自の堆肥化装置に送られて堆肥化される。
【００２６】
堆肥化においては、これだけ水分が多いものは個液分離して固形部分のみを堆肥化しても良いが、水分の多いものでも個液分離しないで堆肥化できる特徴を持つ独自の装置で堆肥化するのが理想である。
【発明の効果】
【００２７】
以上の説明から明らかなように、本願発明は生ゴミをバイオマス化及び堆肥化するために、生ゴミの中に存在する可能性があるビニール類やガラス類、金属類を完全に除去できる仕組みと、液体化している生ゴミも含めて生ゴミのほとんどの部分がバイオマス化及び堆肥化できるため次の効果が得られる。
【００２８】
第１工程によれば
磁石、網、風力、水流、比重だけで生ゴミを分別しようとしても、生ゴミの独特の粘りと
生ゴミの複雑に絡み合う形態のため、生ゴミに付着しているビニール類やガラス類、金属
類は生ゴミから簡単に分離できないが、水を加えて水の中で生ゴミを晒すこの方法であれ
ば生ゴミの粘りを無くし、複雑に絡み合う形態をほぐした状態をつくるので簡単に分離で
きるし、さらに比重の効果でビニール類は軽く浮かび、金属、ガラス類は重く沈むので分
離できる。
【００２９】
第２工程によれば
水中に空気を送って上下に回転水流を起こす攪拌装置で生ゴミと水の攪拌を行うことに
より、ビニール類に付着している生ゴミや液状化しつつある生ゴミ及び液状化している生
ゴミが水に晒され、粘りが無くなるので分離されやすくなり、軽い物は浮かび、重い物は
沈んだ状態がうまれ、さらに生ゴミの中に混ざっている小さなガラス類や金属類が生
ゴミから分離しやすくなっている。
【００３０】
第３工程によれば
浮遊している物の内、ビニール類のみを除去できて、同じく浮遊している野菜の塊、肉、魚の塊を残すことができるので、廃棄される非バイオマス化及び非堆肥化物の量が少なくなり、バイオマス化及び堆肥化用生ゴミの実用の範囲を広げることができる。
【００３１】
第４工程によれば
破砕・粉砕装置により生ゴミを液状化することで生ゴミの中に隠れているガラス類、金属類の小さなものまでが水に晒され分離される大きな効果がある。
【００３２】
第５工程によれば
液状化した後、ただ攪拌するだけでは比重の重いガラス類、金属類が液状化した生ゴミの下部にくる可能性が絶対ではないが、攪拌装置にて強、中、弱と液状化した生ゴミを攪拌操作することで、比重の重いものはより下部に、比重の軽いものはより上部に分離した状態をつくることができて、比重の重いガラス類、金属類を比重の軽い液状化した生ゴミの下部に位置させることができる。
【００３３】
第６工程によれば
バイオマス化及び堆肥化用生ゴミは最下部を除いた大きな幅を持つ上層部にまとまり、最
下部のガラス類、金属類を分離装置で完全に分離して取り出せば、簡単にバイオマス化及
び堆肥化用生ゴミと非バイオマス化及び非堆肥化物とに分別できる。
【発明を実施するための最良の形態】
【００３４】
図１−図５を参照して本願実施形態の生ゴミ液状化比重別分別装置による生ゴミ液状化比重別分別方法を説明する。
装置の概略説明
図１、全体図
生ゴミと水を投入する生ゴミ液状化比重別分別装置１の本体装置は円筒形で下部が上部より狭くなっていて、最下部はスクリューコンベヤー３の形状に合致した形となっていて最下部のスクリューコンベヤー３に比重の重い非バイオマス化及び非堆肥化物を分離した後、貯留槽６へ導入するための開閉口５とスクリューコンベヤー３が既設され、その上部に生ゴミ液状化比重別分別装置１内の生ゴミと水に空気を送って攪拌する攪拌装置２が既設してあり、分離されたバイオマス化及び堆肥化用生ゴミを貯留槽７へ導入するための開閉口４が既設されていて、貯留槽７からバイオマス化及び堆肥化用生ゴミをバイオマス化及び堆肥化装置に導入するためのポンプ８が既設されている。
【００３５】
さらに生ゴミ液状化比重別分別装置１の本体装置に附帯する外部挿入装置で、装置の先端部の除去棒を畳んだ状態１５から十字に開いた状態１８の形にできて、浮遊物を掬い上げる機能を有する除去装置９と生ゴミ液状化比重別分別装置１の本体装置に附帯する外部挿入装置で、装置の先端部の破砕刃を畳んだ状態２０からT字に開いた状態２１の形にできて、生ゴミと水を破砕・粉砕する機能を有している破砕・粉砕装置１１及び生ゴミ液状化比重別分別装置１の本体装置に附帯する外部挿入装置で、装置の先端部が９０度の４分の１の扇形に閉じた状態２２から３６０度に開いた状態２５の網目の円盤状の形にできて、分離されたバイオマス化及び堆肥化用生ゴミと非バイオマス化及び非堆肥化物とが再度、混ざらないように分離する機能を持つ分離装置１２を有している。
【００３６】
第１工程
生ゴミを生ゴミ液状化比重別分別装置１の本体装置に投入し、水を加えて生ゴミが分離しやすい状態をつくる工程。
【００３７】
図１で示す。
生ゴミを生ゴミ液状化比重別分別装置１の生ゴミ投入位置１３まで投入する。
次に水を加えた位置１４になるまで水を投入する。
【００３８】
第２工程
水中に空気を送って上下に回転攪拌できる、生ゴミ液状化比重別分別装置１に既設されている攪拌装置２で生ゴミ液状化比重別分別装置１の中の生ゴミと水を強く攪拌する。
【００３９】
これで軽いものは浮かび重いものは沈んだ状態がうまれ、さらに生ゴミの中に混ざっているガラス類や金属類が生ゴミから分離しやすくなっている。
【００４０】
第３工程
浮遊している比重の軽いビニール類を除去する工程。
【００４１】
図２で示す。
NO1のごとく、生ゴミ液状化比重別分別装置１に附帯する外部挿入装置である除去装置９の先端部の除去棒を畳んだ状態１５にして、生ゴミ液状化比重別分別装置１の上部からビニール類１６が浮かんでいるすぐ真下の位置１７に挿入する。
【００４２】
次に、NO２のごとく、除去装置９の先端部の除去棒を十字の形に開いた状態１８にする。
【００４３】
次に、NO３のごとく、先端部の除去棒を十字の形に開いた状態１８にした除去装置９でビニール類１６を掬い上げる１９。
【００４４】
次に除去装置９の先端部の除去棒を十字の形に開いた状態１８で少し回転させ、掬い上げる位置を変えて数回、ビニール類が無くなるまで掬い上げる。
【００４５】
次に、NO４のごとく、貯留槽１０に除去装置９を移動し、先端部を畳んだ状態１５にしてビニール類を落とす。
【００４６】
貯留槽１０に溜まったビニール類は廃棄する。
【００４７】
第４工程
浮遊物を除去した後、残った生ゴミを液状化する工程。
【００４８】
図３で示す。
NO１のごとく、生ゴミ液状化比重別分別装置１に附帯する外部挿入装置である破砕・粉砕装置１１の破砕刃を畳んだ状態２０にして生ゴミ液状化比重別分別装置１のスクリューコンベヤー３の上部の位置まで挿入する。
【００４９】
次に、NO２のごとく、破砕・粉砕装置１１の破砕刃をT字に開いた状態２１にして、破砕刃を高速回転させて、生ゴミを破砕・粉砕し液状化する。
【００５０】
次に、液状化が終わると、NO３のごとく、破砕・粉砕装置１１の破砕刃を畳んだ状態２０にして生ゴミ液状化比重別分別装置１から取り出す。
【００５１】
第５工程
液状化された生ゴミをさらに分離する工程。
【００５２】
図４で示す。
水中に空気を送って上下に回転攪拌できる、生ゴミ液状化比重別分別装置1に既設されている攪拌装置２で生ゴミ液状化比重別分別装置１の中の液状化された生ゴミと水を攪拌する。
【００５３】
液状化した後、ただ攪拌するだけでは比重の重いガラス類、金属類が液状化した生ゴミの下部にくる可能性は絶対ではないが、攪拌装置２にて強、中、弱と送る空気の強さを変えることにより攪拌の強さを変えて数回、生ゴミと水を攪拌操作すると比重の効果で比重の重い非バイオマス化及び非堆肥化物はより早く下部に、比重の軽いバイオマス化及び堆肥化用生ゴミはより上部に分離した状態をつくることができる。
【００５４】
第６工程
液状化された生ゴミをバイオマス化及び堆肥化用生ゴミと非バイオマス化及び非堆肥化物に分別する工程。
【００５５】
図５で示す。
NO１のごとく、生ゴミ液状化比重別分別装置１に附帯する外部挿入装置である分離装置１２の先端部の網目の円盤を４分の１の扇形に閉じた状態２２にして、軽く回転させながら生ゴミ液状化比重別分別装置１の上部からスクリューコンベヤー３の上部に接するぐらいの位置２３まで挿入する。
【００５６】
NO２のごとく、位置２３でスクリューコンベヤー３に分離装置１２の先端部が隙間なく覆いかぶさるように分離装置１２の先端部を３６０度の網目の円盤形に開いた状態２５にして、スクリューコンベヤー３の中に入っている非バイオマス化及び非堆肥化物の内、ガラス類、金属類が分離装置１２の先端部の網目の円盤部の上部に移動しないようにする。
【００５７】
次に位置２３から位置２４の部分に存在する液状化されたバイオマス化及び堆肥化用生ゴミを開閉口４を開いて貯留槽７へ導入する。
【００５８】
導入が終わると開閉口４を閉じる。
【００５９】
NO３のごとくスクリューコンベヤー３の羽根の間の部分２６に分離されている比重の重いガラス類、金属類の非バイオマス化及び非堆肥化物を開閉口５を開いてスクリューコンベヤー３を稼動し排出する。
【００６０】
この部分はバイオマス化及び堆肥化には使えない物なので廃棄する。
【００６１】
上記工程を終えると開閉口５を閉じて最初の工程に戻る
これでバイオマス化及び堆肥化用生ゴミはNO２の貯留槽７に水分８５％から９９％までの水溶物及びドロドロの液状化した物が混在した状態で溜まっている。
【００６２】
これらにはビニール類やガラス類、金属類が入っていないので安心してバイオマス化及び堆肥化用生ゴミとして使用できる。プラスチック類などが浮遊している場合には網で濾せばバイオマス化及び堆肥化用生ゴミは液状化されたものなので網を通過し、固形物のプラスチック類のみ除去することができる。
【００６３】
この貯留槽７に溜まっているバイオマス化及び堆肥化用生ゴミは堆肥化の場合、独自の堆肥化装置に送られて堆肥化される。
【００６４】
堆肥化の場合、これだけ水分が多い堆肥化原料は個液分離して固形部分のみを堆肥化してもよいが、この場合は水分の多いものを堆肥化できる独自の堆肥化装置を使用して堆肥化するのが理想である。
【実施例１】
【００６５】
生ゴミを収集し、バイオマス化及び堆肥化する場合には
（１）生ゴミをビニール袋に入れて収集する場合。この場合は、ビニール袋は破袋して生ゴミを取り出しておく。
（２）生ゴミのみを専用のコンテナ等に集めて収集する場合。
などの方法があるが、そのどちらの場合でも、この生ゴミ液状化比重別分別装置は応用できる。
【産業上の利用可能性】
【００６６】
排出される生ゴミを焼却、埋立することはコストの面でも環境の面でも将来、中止の方向に向かうと思われる。しかし生ゴミをバイオマス化及び堆肥化する場合、生ゴミが排出される時点で分別収集されたとしてもなお、危険なガラス類、金属類が混入している可能性があり、堆肥化の場合、堆肥の醗酵未熟と併せて生ゴミの堆肥が使用者側に不人気である。不要なビニール類や危険なガラス類、金属類を除去する、この生ゴミ液状化比重別分別方法と装置を使用すれば生ゴミのバイオマス化及び堆肥化は一層進むと思われる。
【図面の簡単な説明】
【００６７】
【図１】本願実施形態の生ゴミ液状化比重別分別方法に使用する円筒形の生ゴミ液状化比重別分別装置１の本体装置の概略図である。
【図２】生ゴミ液状化比重別分別装置１に付帯するビニール類を除去する除去装置９の図である。
【図３】生ゴミ液状化比重別分別装置１に付帯する生ゴミを液状化する破砕・粉砕装置１１の図である。
【図４】生ゴミを液状化した後、生ゴミ液状化比重別分別装置１に既設されていて液状化した生ゴミをバイオマス化及び堆肥化用生ゴミと非バイオマス化及び非堆肥化物にはっきり分離するための攪拌装置２の図である。
【図５】生ゴミ液状化比重別分別装置１に付帯するバイオマス化及び堆肥化用生ゴミと非バイオマス化及び非堆肥化物に分離する分離装置１２の図である。
【符号の説明】
【００６８】
１は生ゴミ液状化比重別分別装置の本体装置、２は攪拌装置、３はスクリューコンベヤー、４は開閉口、５は開閉口、６は貯留槽、７は貯留槽、８はポンプ、９は除去装置、１０は貯留槽、１１は破砕・粉砕装置、１２は分離装置、１３は生ゴミ投入位置、１４は水を加えた位置、１５は除去装置の先端部の除去棒を畳んだ状態、１６はビニール類、１７はビニール類のすぐ真下の位置、１８は除去装置の先端部の除去棒を十字に開いた状態、１９はビニール類を掬い上げた状態、２０は先端部の破砕刃を畳んだ状態、２１は先端部の破砕刃をT字に開いた状態、２２は分離装置の先端部を４分の１の扇形に閉じた状態、２３は位置、２４は位置、２５は分離装置の先端部を３６０度の網目の円盤状に開いた状態、２６はスクリューコンベヤーの羽根の間の部分
【図１】
2010137175.tif 000003
【図２】
2010137175.tif 000004
【図３】
2010137175.tif 000005
【図４】
2010137175.tif 000006
【図５】
2010137175.tif 000007